(57)【要約】【課題】電磁ノイズによる誤動作を防止できる調理器を提供する。【解決手段】電磁誘導加熱または高周波加熱により調理物を加熱する加熱部１５と、静電容量式タッチパネルから成る操作部２６とを備えた調理器１において、操作部２６は筐体２０の表面に露出した操作キー２６ａ〜２６ｈと、加熱部１５の近傍に配置されるとともに筐体２０の表面から非露出のダミーキー２６ｊとを有し、操作キー２６ａ〜２６ｈの入力信号レベルが第１押下判定レベルＡに到達したときに操作キー２６ａ〜２６ｈの入力を受け付けるとともに、ダミーキー２６ｊの入力信号レベルが所定値よりも高い場合に第１押下判定レベルＡに到達しても操作キー２６ａ〜２６ｈの入力を受け付けないようにした。【選択図】図３
2014000319.tif 000002
【特許請求の範囲】
【請求項１】
電磁誘導加熱または高周波加熱により調理物を加熱する加熱部と、静電容量式タッチパネルから成る操作部とを備えた調理器において、前記操作部は筐体の表面に露出した操作キーと、前記加熱部の近傍に配置されるとともに前記筐体の表面から非露出のダミーキーとを有し、前記操作キーの入力信号レベルが第１押下判定レベルに到達したときに前記操作キーの入力を受け付けるとともに、前記ダミーキーの入力信号レベルが所定値よりも高い場合に第１押下判定レベルに到達しても前記操作キーの入力を受け付けないことを特徴とする調理器。
【請求項２】
前記ダミーキーの入力信号レベルが前記所定値よりも高い場合に、前記操作キーの入力信号レベルが第１押下判定レベルよりも高い第２押圧判定レベルに到達したときに前記操作キーの入力を受け付けることを特徴とする請求項１に記載の調理器。
【請求項３】
前記ダミーキーの入力信号レベルが前記所定値よりも高い場合に前記操作キーの入力を無効にしたことを特徴とする請求項１に記載の調理器。
【請求項４】
製造時の検査を行う検査モードを設け、前記筐体表面を覆う外装カバーを取り外した状態で前記ダミーキーを操作することによって前記検査モードに移行することを特徴とする請求項１〜請求項３のいずれかに記載の調理器。
【発明の詳細な説明】
【技術分野】
【０００１】
本発明は、静電容量式のタッチパネルを備えた調理器に関する。
【背景技術】
【０００２】
従来の調理器は特許文献１に開示されている。この調理器は炊飯器を構成し、蓋部により開閉される開口部を上面に有した本体部内に米及び水を入れる内釜が収納される。本体部内には内釜を加熱する加熱部が設けられ、加熱部の駆動により調理（炊飯）が行われる。本体部の外面には複数の操作キーを有する操作部が設けられる。操作部によって調理条件の設定や調理開始の指示が行われる。
【０００３】
上記構成の炊飯器において、米及び水を入れた内釜が本体部に収納され、蓋部が閉じられる。操作部の操作によって炊飯が開始されると加熱部によって内釜が加熱される。これにより、内釜内の水が沸騰して炊飯が行われ、所定時間が経過すると加熱部が停止される。
【０００４】
近年、操作部を静電容量式タッチパネルにより形成した調理器が知られている。静電容量式タッチパネルを用いると使用者が操作部に触れるだけで操作を行うことができるため、調理器の利便性を向上することができる。
【先行技術文献】
【特許文献】
【０００５】
【特許文献１】特開２０１１−２３９８７９号公報（第５頁−第９頁、第１図）
【発明の概要】
【発明が解決しようとする課題】
【０００６】
しかしながら、静電容量式タッチパネルは電磁ノイズの影響を受け易く、電磁ノイズによる誤動作が発生する問題があった。特に、電磁誘導により加熱するＩＨ炊飯器等の場合には電磁ノイズが発生し易く、静電容量式タッチパネルの誤動作が起こり易くなる。
【０００７】
本発明は、電磁ノイズによる誤動作を防止できる調理器を提供することを目的とする。
【課題を解決するための手段】
【０００８】
上記目的を達成するために本発明は、電磁誘導加熱または高周波加熱により調理物を加熱する加熱部と、静電容量式タッチパネルから成る操作部とを備えた調理器において、前記操作部は筐体の表面に露出した操作キーと、前記加熱部の近傍に配置されるとともに前記筐体の表面から非露出のダミーキーとを有し、前記操作キーの入力信号レベルが第１押下判定レベルに到達したときに前記操作キーの入力を受け付けるとともに、前記ダミーキーの入力信号レベルが所定値よりも高い場合に第１押下判定レベルに到達しても前記操作キーの入力を受け付けないことを特徴としている。
【０００９】
この構成によると、操作部は静電容量式タッチパネルにより形成された操作キー及びダミーキーを有している。操作キーを押圧して操作キーの入力信号レベルが第１押下判定レベルに到達すると、操作キーの入力が受付けられて操作キーに応じた処理が実行される。この時、ダミーキーの入力信号レベルが所定値よりも高い場合は加熱部により発生する電磁ノイズによる誤動作と判断する。これにより、操作キーの入力信号レベルが第１押下判定レベルに到達しても操作キーの入力が受け付けられない。
【００１０】
また本発明は、上記構成の調理器において、前記ダミーキーの入力信号レベルが前記所定値よりも高い場合に、前記操作キーの入力信号レベルが第１押下判定レベルよりも高い第２押圧判定レベルに到達したときに前記操作キーの入力を受け付けることを特徴としている。
【００１１】
また本発明は、上記構成の調理器において、前記ダミーキーの入力信号レベルが前記所定値よりも高い場合に前記操作キーの入力を無効にしたことを特徴としている。
【００１２】
また本発明は、上記構成の調理器において、製造時の検査を行う検査モードを設け、前記筐体表面を覆う外装カバーを取り外した状態で前記ダミーキーを操作することによって前記検査モードに移行することを特徴としている。この構成によると、調理器の製造時に筐体を覆うカバーを装着前の状態でダミーキーが操作されると検査モードに移行し、所定の検査が行われる。
【発明の効果】
【００１３】
本発明によると、ダミーキーの入力信号レベルが所定値よりも低い場合に操作キーの入力信号レベルが第１押下判定レベルに到達しても操作キーの入力を受け付けないので、加熱部により発生する電磁ノイズによる操作部の誤動作を防止することができる。
【図面の簡単な説明】
【００１４】
【図１】本発明の実施形態の炊飯器の蓋部を閉じた状態を示す斜視図
【図２】本発明の実施形態の炊飯器の蓋部を開いた状態を示す斜視図
【図３】本発明の実施形態の炊飯器の表示部及び操作部を示す平面図
【図４】本発明の実施形態の炊飯器の構成を示すブロック図
【図５】本発明の実施形態の炊飯器の操作キーの操作による動作を示すタイムチャート
【発明を実施するための形態】
【００１５】
以下に本発明の実施形態を図面を参照して説明する。図１は一実施形態の調理器である炊飯器を示す斜視図である。炊飯器１は内釜１７（図２参照）を収納する本体部１０と本体部１０に枢支される蓋部２０とを備えている。本体部１０及び蓋部２０により炊飯器１の筐体が構成される。蓋部２０の上面の前部には詳細を後述する操作部２６及び表示部２５が配される。蓋部２０の後部には蒸気の排気口２７が開口する。また、本体部１０の後部には商用電源に接続される電源コード４が設けられる。
【００１６】
図２は炊飯器１の蓋部２０を開いた状態を示す斜視図である。本体部１０は上面に開口部１０ａを開口し、開口部１０ａを介して米及び水を入れる内釜１７が収納される。内釜１７の周囲には電磁誘導加熱によって内釜１７を加熱する加熱部１５が配される。蓋部２０の周部は内釜１７の周面に隣接するため、操作部２６が加熱部１５の近傍に配置される。
【００１７】
本体部１０の前部には蓋部２０の前部に設けた係合爪２３に係合する係合部１８が設けられる。係合爪２３と係合部１８との係合状態は本体部１０に設けたロック機構１９によりロックされる。本体部１０の前面にはロック機構１９のロックを解除して蓋部２０を開く押しボタン１３が配される。
【００１８】
蓋部２０は後端を本体部１０に枢支されて開口部１０ａを開閉し、外蓋２１及び内蓋２２を有している。外蓋２１によって内蓋２１を保持するとともに本体部１０の上面が覆われ、内蓋２２によって内釜１７が密封される。また、蓋部２０の外面には蓋部２０を覆って美装する外装カバー２０ａ（図３参照）が設けられる。
【００１９】
図３は表示部２５及び操作部２６の平面図を示している。表示部２２は液晶表示パネル等から成り、操作部２６による調理条件の設定画面、調理の進行状況、予約時刻等を表示する。操作部２６は複数の操作キー（２６ａ〜２６ｈ）及びダミーキー２６ｊを有した静電容量式タッチパネルから成り、調理条件の設定操作や開始操作等を行う。
【００２０】
操作キーは炊飯スタートキー２６ａ、洗米キー２６ｂ、予約キー２６ｃ、保温取消キー２６ｄ、料理選択キー２６ｅ、炊飯選択キー２６ｆ、上キー２６ｇ及び下キー２６ｈを有している。以下の説明において、これらの総称として操作キー２６ａ〜２６ｈという場合がある。
【００２１】
表示部２５及び各操作キー２６ａ〜２６ｈは蓋部２０の外装カバー２０ａに開口する窓部２０ｂを介して蓋部２０（筐体）の表面に露出する。ダミーキー２６ｊは外装カバー２０ａにより覆われ、蓋部２０の表面から非露出状態に配される。外装カバー２０ａの装着前や脱着時にダミーキー２６ｊが露出して操作可能になっている。
【００２２】
炊飯スタートキー２６ａは炊飯の開始を指示する。洗米キー２６ｂは内釜１７に入れた米の炊飯前の攪拌部３１（図４参照）による洗米を指示する。予約キー２６ｃはタイマー３２（図４参照）による予約時刻の設定画面への移行及び予約の指示を行う。保温取消キー２６ｄは炊飯後の保温を指示するとともに、操作部２６による操作の取り消しを指示する。
【００２３】
料理選択キー２６ｅは炊飯以外の調理を行う際のメニューを表示部２５に一覧表示し、所望のメニューを選択する。炊飯選択キー２６ｆは白米、無洗米、玄米等の米の種類を表示部２５に一覧表示し、所望の米の種類を選択する。上キー２６ｇ及び下キー２６ｈは表示部２５の表示項目のカーソル移動や予約時刻の設定を行う。
【００２４】
ダミーキー２６ｊは炊飯器１の製造時やメンテナンス時に外装カバー２０ａを取り外した状態で操作される。ダミーキー２６ｊの操作によって炊飯器１の検査を行う検査モードに移行し、炊飯器１の所定の検査が行われる。
【００２５】
図４は炊飯器１の構成を示すブロック図である。炊飯器１は各部を制御する制御部３０を有し、加熱部１５、攪拌部３１、タイマー３２、表示部２５、操作部２６、記憶部３３が接続される。記憶部３３はＲＯＭ及びＲＡＭから成り、炊飯器１の動作プログラムや操作部２６による設定条件を格納するとともに制御部３０による演算結果を一時記憶する。
【００２６】
上記構成の炊飯器１において、米及び水を入れた内釜１７が本体部１０に収納され、内蓋２２を取り付けた蓋部２０が閉じられる。操作部２６の操作により炊飯が開始されると加熱部１５によって内釜１７が加熱される。これにより、内釜１７内の水が沸騰して炊飯が行われる。炊飯中に内釜１７から発生する蒸気は排気口２７を介して排気される。炊飯を開始して所定時間が経過すると加熱部１５による加熱が停止され、炊飯が終了する。
【００２７】
また、炊飯後に保温を行う設定の場合は炊飯が終了すると加熱部１５が炊飯時よりも低い電力で加熱される。これにより、内釜１７内が所定温度に維持され、炊きあがったご飯が保温される。
【００２８】
図５は操作部２６の各操作キー２６ａ〜２６ｈの操作による動作を示すタイムチャートである。図５（ａ）は操作キー２６ａ〜２６ｈの出力を示している。図５（ｂ）はダミーキー２６ｊの出力を示している。図５（ｃ）は操作キー２６ａ〜２６ｈ及びダミーキー２６ｊからの入力に応じた制御部３０の出力を示している。
【００２９】
操作キー２６ａ〜２６ｈのいずれかが押下され、操作キー２６ａ〜２６ｈから出力して制御部３０に入力される入力信号レベルが所定の第１押下判定レベルＡを超えると、制御部３０が操作キー２６ａ〜２６ｈの操作を受け付ける。そして、制御部３０は操作された操作キー２６ａ〜２６ｈに応じた操作信号を出力する。これにより、操作された操作キー２６ａ〜２６ｈに応じた動作が行われる。
【００３０】
この時、ダミーキー２６ｊから出力して制御部３０に入力される入力信号レベルが所定値よりも高い場合に、操作キー２６ａ〜２６ｈの入力信号レベルが第１押下判定レベルＡを超えても制御部３０は操作キー２６ａ〜２６ｈの操作を無効にする。即ち、制御部３０は押圧された操作キー２６ａ〜２６ｈの操作の受け付けを禁止して操作信号を出力しない。従って、電磁ノイズによって操作キー２６ａ〜２６ｈ及びダミーキー２６ｊが同時に信号を出力した際に誤動作を防止することができる。
【００３１】
尚、電磁ノイズによる操作キー２６ａ〜２６ｈの入力信号レベルは操作キー２６ａ〜２６ｈの押下時よりも低い。このため、ダミーキー２６ｊの入力信号レベルが該所定値よりも高い場合に、操作キー２６ａ〜２６ｈの入力信号レベルが第１押下判定レベルＡよりも高い第２押圧判定レベル（図５において「Ｂ」で示す）に到達したときに制御部３０が操作キー２６ａ〜２６ｈの操作を受け付けるようにしてもよい。これにより、通常時の操作キー２６ａ〜２６ｈの入力検知を確実に行うことができる。
【００３２】
また、操作キー２６ａ〜２６ｈはいずれか一の押下時に動作が割り当てられるだけでなく、複数の操作キー２６ａ〜２６ｈの押下時に特定の動作が割り当てられていてもよい。
【００３３】
本実施形態によると、ダミーキー２６ｊの入力信号レベルが所定値よりも低い場合に操作キー２６ａ〜２６ｈの入力信号レベルが第１押下判定レベルＡに到達しても操作キー２６ａ〜２６ｈの入力を受け付けないので、加熱部１５により発生する電磁ノイズによる操作部２６の誤動作を防止することができる。
【００３４】
また、ダミーキー２６ｊの入力信号レベルが所定値よりも高い場合に、操作キー２６ａ〜２６ｈの入力信号レベルが第１押下判定レベルＡよりも高い第２押圧判定レベルＢに到達したときに操作キー２６ａ〜２６ｈの入力を受け付けると、電磁ノイズによる誤動作を容易に防止することができる。また、通常時の操作キー２６ａ〜２６ｈの入力検知を確実に行うことができる。
【００３５】
また、ダミーキー２６ｊの入力信号レベルが所定値よりも高い場合に操作キー２６ａ〜２６ｈの入力を無効にしたので、電磁ノイズによる誤動作を容易に防止することができる。
【００３６】
また、蓋部２０（筐体）の表面を覆う外装カバー２０ａを取り外した状態でダミーキー２６ｊを操作することによって検査モードに移行するので、ダミーキー２６ｊの設置スペースを有効利用することができる。
【００３７】
本実施形態において、炊飯器１について説明しているが、調理物の調理を行う調理器であれば同様に操作部２６を動作制御して同様の効果を得ることができる。この時、本実施形態と同様に電磁誘導加熱によって調理物を加熱する調理器において電磁ノイズによる誤動作を防止することができる。また、高周波を発生するマグネトロンから成る加熱部によって調理物を加熱する調理器においても同様に、マグネトロンから発生する電磁ノイズによる誤動作を防止することができる。
【産業上の利用可能性】
【００３８】
本発明によると、静電容量式のタッチパネルを備えた調理器に利用することができる。
【符号の説明】
【００３９】
１    炊飯器
１０    本体部
１５    加熱部
１７    内釜
２０    蓋部
２０ａ  外装カバー
２１    外蓋
２２    内蓋
２５    表示部
２６    操作部
２６ａ〜２６ｈ  操作キー
２６ｊ  ダミーキー
２７    排気口
３０    制御部
３１    攪拌部
３２    タイマー
３３    記憶部
【図１】
2014000319.tif 000003
【図２】
2014000319.tif 000004
【図３】
2014000319.tif 000005
【図４】
2014000319.tif 000006
【図５】
2014000319.tif 000007
【手続補正書】
【提出日】平成24年6月27日(2012.6.27)
【手続補正１】
【補正対象書類名】明細書
【補正対象項目名】００１３
【補正方法】変更
【補正の内容】
【００１３】
本発明によると、ダミーキーの入力信号レベルが所定値よりも高い場合に操作キーの入力信号レベルが第１押下判定レベルに到達しても操作キーの入力を受け付けないので、加熱部により発生する電磁ノイズによる操作部の誤動作を防止することができる。
【手続補正２】
【補正対象書類名】明細書
【補正対象項目名】００３３
【補正方法】変更
【補正の内容】
【００３３】
本実施形態によると、ダミーキー２６ｊの入力信号レベルが所定値よりも高い場合に操作キー２６ａ〜２６ｈの入力信号レベルが第１押下判定レベルＡに到達しても操作キー２６ａ〜２６ｈの入力を受け付けないので、加熱部１５により発生する電磁ノイズによる操作部２６の誤動作を防止することができる。